(57)【要約】【課題】輝度むらが抑制された面発光装置を提供する。【解決手段】面発光装置は、主面を有する支持体１０と、支持体の主面上に配置され、第２方向に配列され第２方向とは異なる第１方向に延びる複数の第１凸部２１ｔを備える反射シート２１と、複数の第１凸部２１ｔのそれぞれと支持体との間に位置する空洞２０ｖと、複数の第１凸部２１ｔのそれぞれに設けられ空洞と連通した開口２１ｇとを有する反射部２０と、複数の第１凸部のうち隣接する２つの第１凸部において、一方の第１凸部の開口内に位置し、一方の第１凸部の空洞内に少なくとも一部が配置されており、他方の第１凸部に向けて光を出射する光源３０とを備える。【選択図】図１Ｂ
2018022649.tif 000002
【特許請求の範囲】
【請求項１】
主面を有する支持体と、
前記支持体の前記主面上に配置され、第２方向に配列され前記第２方向とは異なる第１方向に延びる複数の第１凸部を備える反射シートと、前記複数の第１凸部のそれぞれと前記支持体との間に位置する空洞と、前記複数の第１凸部のそれぞれに設けられ前記空洞と連通した開口と、を有する反射部と、
前記複数の第１凸部のうち隣接する２つの第１凸部において、一方の第１凸部の開口内に位置し、前記一方の第１凸部の空洞内に少なくとも一部が配置されており、他方の第１凸部に向けて光を出射する光源と、
を備えた面発光装置。
【請求項２】
前記第１凸部のそれぞれは、第１壁部、前記第１壁部よりも前記主面に対する傾斜が小さい第１傾斜部および前記第１壁部と前記第１傾斜部との間に位置する第１折り曲げ部を有し、
前記開口は前記第１壁部に位置している、請求項１に記載の面発光装置。
【請求項３】
前記反射シートは、前記一方の第１凸部の第１壁部と、前記他方の第１凸部の第１傾斜部とによって挟まれる複数の反射領域を含み、
前記光源は前記他方の第１凸部の第１傾斜部に向けて光を出射する請求項２に記載の面発光装置。
【請求項４】
前記反射シートは、前記一方の第１凸部の第１傾斜部と前記他方の第１凸部の第１壁部との間に、前記主面と接触している接触部をそれぞれ有する請求項２または３に記載の面発光装置。
【請求項５】
前記各第１凸部の第１傾斜部は曲面形状を有する、請求項２から４のいずれかに記載の面発光装置。
【請求項６】
前記反射シートは、前記第１方向に配列され前記第２方向に延びる複数の第２凸部をさらに有し、
前記複数の反射領域は、前記複数の第２凸部のうち隣接する２つの第２凸部によって前記第１方向に区切られる請求項２から５のいずれかに記載の面発光装置。
【請求項７】
前記反射シートにおいて、
前記複数の第２凸部のそれぞれは、一対の第２傾斜部と、前記一対の第２傾斜部の間に位置する第２折り曲げ部とを有し、
隣接する２つの前記第２凸部の第２傾斜部同士は接続されており、
前記各反射領域は前記隣接する２つの前記第２凸部の接続された前記第２傾斜部に挟まれ、
各反射領域において、
前記開口は、前記第１壁部の前記第１方向における略中央に位置しており、
前記２つの第２傾斜部および前記第１傾斜部は、前記開口に向かって傾斜している連続する曲面を構成している、請求項６に記載の面発光装置。
【請求項８】
前記反射シートにおいて、
前記複数の第２凸部のそれぞれは、第２壁部、第２傾斜部および前記第２壁部と前記第２傾斜部との間に位置する第２折り曲げ部とを有し、
各反射領域は、前記隣接する２つの第２凸部の一方の第２壁部と、他方の第２傾斜部とによって挟まれ、
各反射領域において、
前記第１壁部および前記第２壁部は互いに接合しており、
前記第１傾斜部および前記第２傾斜部は互いに接合しており、
前記開口は、前記第１壁部および前記第２壁部の互いに接合する領域に位置しており、
前記第１傾斜部および前記第２傾斜部は、前記開口に向かって傾斜している連続する曲面を構成している、請求項６に記載の面発光装置。
【請求項９】
前記空洞は前記連続する曲面と前記支持体との間に位置する、請求項７または８に記載の面発光装置。
【請求項１０】
前記複数の光源の光が通過する領域の少なくとも一部の上方にそれぞれ位置する複数の遮光部材をさらに備える請求項１から９のいずれかに記載の面発光装置。
【請求項１１】
前記複数の遮光部材は、前記反射部の複数の第１凸部にそれぞれ接続されている請求項１０に記載の面発光装置。
【請求項１２】
前記複数の遮光部材は、前記複数の光源の光が通過する領域の少なくとも一部の上方にそれぞれ接続されている請求項１０に記載の面発光装置。
【請求項１３】
前記反射部と対向する位置に配置された拡散板をさらに備える請求項１から１２のいずれかに記載の面発光装置。
【請求項１４】
前記拡散板は、前記複数の光源の光が通過する領域の少なくとも一部の上方にそれぞれ位置する遮光部を含む請求項１３に記載の面発光装置。
【発明の詳細な説明】
【技術分野】
【０００１】
本願は面発光装置に関する。
【背景技術】
【０００２】
近年、液晶表示装置などの表示装置に用いられるバックライトとして、半導体発光素子を用いた直下型の面発光装置が提案されている。例えば、特許文献１から３は、複数の発光ダイオード（ＬＥＤ）を配列した面発光装置を開示している。
【先行技術文献】
【特許文献】
【０００３】
【特許文献１】特開２０１２−２１６７６２号公報
【特許文献２】特開２００９−２３１０１２号公報
【特許文献３】国際公開第２００８／０１３０７２号
【発明の概要】
【発明が解決しようとする課題】
【０００４】
直下型の面発光装置では、光源から出射する光の輝度むらを低減させることが求められている。本願のある例示的な一実施形態は、輝度むらが抑制された面発光装置を提供する。
【課題を解決するための手段】
【０００５】
本開示の実施形態に係る面発光装置は、主面を有する支持体と、前記支持体の前記主面上に配置され、第２方向に配列され前記第２方向とは異なる第１方向に延びる複数の第１凸部を備える反射シートと、前記複数の第１凸部のそれぞれと前記支持体との間に位置する空洞と、前記複数の第１凸部のそれぞれに設けられ前記空洞と連通した開口と、を有する反射部と、前記複数の第１凸部のうち隣接する２つの第１凸部において、一方の第１凸部の開口内に位置し、前記一方の第１凸部の空洞内に少なくとも一部が配置されており、他方の第１凸部に向けて光を出射する光源と、を備える。
【発明の効果】
【０００６】
本開示の実施形態によれば、輝度むらが抑制された面発光装置が提供される。
【図面の簡単な説明】
【０００７】
【図１Ａ】図１Ａは、本開示の面発光装置の第１の実施形態を示す模式的斜視図である。
【図１Ｂ】図１Ｂは、図１Ａに示す面発光装置の、１Ｂ−１Ｂ線における模式的断面図である。
【図１Ｃ】図１Ｃは、図１Ａに示す面発光装置の第１折れ曲がり部近傍の拡大断面図である。
【図１Ｄ】図１Ｄは、第１折れ曲がり部の他の形態を示す拡大断面図である。
【図１Ｅ】図１Ｅは、第１の実施形態の他の例による面発光装置を示す模式的断面図である。
【図２】図２は、図１Ａに示す面発光装置の製造工程を示す模式的斜視図である。
【図３Ａ】図３Ａは、第１の実施形態の他の例による面発光装置を示す模式的斜視図である。
【図３Ｂ】図３Ｂは、第１の実施形態の他の例による面発光装置を示す模式的斜視図である。
【図４Ａ】図４Ａは、本開示の面発光装置の第２の実施形態を示す模式的上面図である。
【図４Ｂ】図４Ｂは、本開示の面発光装置の第２の実施形態を示す模式的斜視図である。
【図４Ｃ】図４Ｃは、図４Ａに示す面発光装置の、４Ｃ−４Ｃ線における模式的断面図である。
【図４Ｄ】図４Ｄは、図４Ａに示す面発光装置の、４Ｄ−４Ｄ線における模式的断面図である。
【図５Ａ】図５Ａは、本開示の面発光装置の第３の実施形態を示す模式的斜視図である。
【図５Ｂ】図５Ｂは、本開示の面発光装置の第３の実施形態を示す模式的拡大斜視図である。
【図５Ｃ】図５Ｃは、図５Ａに示す面発光装置の、５Ｃ−５Ｃ線における模式的断面図である。
【図５Ｄ】図５Ｄは、図５Ａに示す面発光装置の、５Ｄ−５Ｄ線における模式的断面図である。
【図６】図６は、第１の実施形態の他の例による面発光装置を示す模式的断面図である。
【図７Ａ】図７Ａは、第１の実施形態の他の例による面発光装置を示す模式的断面図である。
【図７Ｂ】図７Ｂは、第１の実施形態の他の例による面発光装置を示す模式的断面図である。
【図７Ｃ】図７Ｃは、第１の実施形態の他の例による面発光装置を示す模式的断面図である。
【図８Ａ】図８Ａは、本開示の面発光装置に用いる光源の例を示す模式的正面図である。
【図８Ｂ】図８Ｂは、図８Ａに示す光源の模式的底面図である。
【図８Ｃ】図８Ｃは、本開示の面発光装置に用いる光源から透光性部材を省略した正面図である。
【図８Ｄ】図８Ｄは、図８Ａに示す光源の８Ｄ−８Ｄ線断面図である。
【図８Ｅ】図８Ｅは、図８Ａに示す光源の８Ｅ−８Ｅ線断面図である。
【発明を実施するための形態】
【０００８】
以下、図面を参照しながら、本開示の面発光装置の実施形態を詳細に説明する。以下の実施形態は、例示であり、本開示の面発光装置は、以下の実施形態に限られない。以下の説明では、特定の方向や位置を示す用語（例えば、「上」、「下」、「右」、「左」およびそれらの用語を含む別の用語）を用いる場合がある。それらの用語は、参照した図面における相対的な方向や位置を、分かり易さのために用いているに過ぎない。参照した図面における「上」、「下」等の用語による相対的な方向や位置の関係が同一であれば、本開示以外の図面、実際の製品等において、参照した図面と同一の配置でなくてもよい。また、図面が示す構成要素の大きさや位置関係等は、分かり易さのため、誇張されている場合があり、実際の面発光装置における大きさあるいは、実際の面発光装置における構成要素間の大小関係を反映していない場合がある。また、本開示において「平行」および「垂直」または「直交」とは、特に他の言及がない限り、２つの直線、辺あるいは面等がそれぞれ０°から±５°程度および９０°から±５°程度の範囲にある場合を含む。
【０００９】
（第１の実施形態）
図１Ａは本開示の面発光装置の第１の実施形態を示す模式的な斜視図であり、図１Ｂは、面発光装置の、図１Ａにおける１Ｂ−１Ｂ線での模式的断面図である。面発光装置１０１は、支持体１０と、反射部２０と、光源３０とを備える。以下各構成要素を詳細に説明する。
【００１０】
［支持体１０］
支持体１０は、反射部２０および光源３０を固着して支持する。支持体１０は主面１０ａを有し、主面１０ａ上に反射部２０および光源３０が位置する。支持体１０は、支持する反射部２０が変形しないように、主面１０ａの大きさ、つまり、バックライトとして使用する場合における表示パネルの画面サイズに応じた強度を備えていることが好ましい。しかし、支持体１０を十分な強度を有する他の基板または筐体でさらに支持する場合、あるいは、反射部２０が十分な強度を有している場合には、支持体１０の強度は上述した条件を満たしていなくてもよい。
【００１１】
支持体１０は絶縁性材料によって形成されていてもよいし、導電性材料によって形成されていてもよい。例えば、支持体１０は、絶縁性樹脂からなる基板に導体配線が印刷されたプリント基板あるいはフレキシブル基板であってもよい。より具体的には、銅箔などからなる導電性パターンが表面に設けられたガラスエポキシ基板、あるいは、絶縁性樹脂で結合された金属体の基板などを好適に用いることができる。また、アルミニウムや銅からなる金属材料に絶縁性材料を介して導体配線が施された基板を用いてもよい。アルミニウムや銅からなる金属材料を用いた基板は高い放熱性を有する。
【００１２】
面発光装置１０１の製造の観点では、支持体１０がフレキシブル基板であることが好ましい。フレキシブル基板は、屈曲された金属フレームの表面や金属フレームに形成された貫通孔や切り欠きに沿って柔軟に配置することができる。したがって、支持体１０としてフレキシブル基板を用いることによって、面発光装置１０１の組立が容易になる。フレキシブル基板の材料としてはＰＥＴ（ポリエチレンテレフタレート）、ポリイミド、ガラスエポキシ等が挙げられる。また、支持体１０は上述した材料の単層あるいは単板によって構成されていてもよいし、複数の異なる材料の層が積層された構造を備えていてもよい。また、支持体１０は、光源３０に電力を供給するための、金属層による導電性パターンを支持体１０の主面１０ａや支持体１０の内部に有していてもよい。
【００１３】
支持体１０の形状は平板状であることが好ましい。支持体１０が平板状であることにより支持体の厚みを薄くできるので発光装置を薄型化できる。尚、支持体１０の表面に微細な凹凸が形成されたものであってもよく、全体的に平板状であれば表面の平滑度については特に限定されるものではない。
【００１４】
［反射部２０］
反射部２０は、複数の第１凸部２１ｔを備える反射シート２１を含む。反射シート２１は、上面２１ａおよび下面２１ｂを有し、少なくとも上面２１ａは、光源３０から出射する光を反射させる反射性を有する。
【００１５】
各第１凸部２１ｔは、第１壁部２１ｃ、第１傾斜部２１ｅおよび第１折り曲げ部２１ｄを含む。第１折り曲げ部２１ｄは、第１壁部２１ｃおよび第１傾斜部２１ｅと接続されており、かつ、第１壁部２１ｃと第１傾斜部２１ｅとの間に位置している。第１傾斜部２１ｅは、第１壁部２１ｃよりも主面１０ａに対する傾斜が小さい。本実施形態では、第１壁部２１ｃは主面１０ａに対してほぼ垂直である。また、第１傾斜部２１ｅはｘｚ断面において、第１壁部２１ｃ側に窪んだ曲面形状を有している。第１壁部２１ｃには開口２１ｇが設けられている。
【００１６】
図１Ｃは第１折り曲げ部２１ｄ近傍の拡大断面図である。第１折り曲げ部２１ｄは、反射シート２１のうち第１傾斜部２１ｅから延びる第１部分２１ｄｅと、第１壁部２１ｃから延びる第２部分２１ｄｃとが接触している接合部分２１ｄ１と、反射シート２１が折れ曲がっている屈曲部分２１ｄ２とを含む。接合部分２１ｄ１において、第１部分２１ｄｅと第２部分２１ｄｃとは接触している。接合部分２１ｄ１は、第１部分２１ｄｅと第２部分２１ｄｃとの明瞭な境界を有していなくてもよい。
【００１７】
接合部分２１ｄ１のｚ軸方向の長さは任意に決定し得る。接合部分２１ｄ１のｚ軸方向における長さが大きい場合、光源３０から直接出射する光を抑制することができる。例えば図１Ｄに示すように、第１折り曲げ部２１ｄは、屈曲部分２１ｄ２のみを有し、接合部分２１ｄ１を有していなくてもよい。この場合、面発光装置１０１のｚ軸方向の厚さを小さくすることができる。
【００１８】
第１壁部２１ｃは、反射シート２１の、第１折り曲げ部２１ｄと後述する接触部２１ｆの一端との間に位置する部分として定義される。同様に、第１傾斜部２１ｅは、反射シート２１の、第１折り曲げ部２１ｄと後述する接触部２１ｆの他端との間に位置する部分として定義される。
【００１９】
複数の第１凸部２１ｔのそれぞれは主面１０ａと平行な面上の第１方向に延びている。ここで第１凸部２１ｔの伸びる方向は、主面１０ａと平行な面上における第１折り曲げ部２１ｄの延伸する方向で定義される。複数の第１凸部２１ｔは、主面１０ａと平行な面上の、第１方向とは異なる第２方向に配列されている。図１Ａに示す形態では、第２方向は第１方向と直交している。図１Ａに示すように、第１方向および第２方向をｙ軸およびｘ軸にとり、ｙ軸およびｘ軸に垂直にｚ軸をとると、第１凸部２１ｔはｚ軸方向に突出している。以下、分かり易さのため、図面には必要に応じてｘ、ｙ、ｚで示す座標軸を示し、ｘ、ｙ、ｚ軸を基準に方向および平面を説明する。第１方向および第２方向がなす角度は、直交に限られず、他の角度であってもよい。
【００２０】
反射シート２１は、互いに隣接する２つの第１凸部２１ｔのうち、一方の第１凸部２１ｔの第１傾斜部２１ｅと他方の第１凸部２１ｔの第１壁部２１ｃとの間に位置し、支持体１０の主面１０ａと接触している接触部２１ｆを有する。つまり、反射シート２１は接触部２１ｆで支持体１０と接している。接触部２１ｆは、反射シート２１の、支持体１０の主面１０ａと接している部分として定義され、一端が一方の第１凸部２１ｔの第１傾斜部２１ｅと、他端が他方の第１凸部２１ｔの第１壁部２１ｃとにそれぞれ接続されている。第１壁部２１ｃ、第１傾斜部２１ｅおよび第１折り曲げ部２１ｄは、支持体１０と接触していない。
【００２１】
図１Ｂに示すように、反射部２０は、前記複数の第１凸部の２１ｔのそれぞれと支持体１０との間に空洞２０ｖを有する。空洞２０ｖは支持体１０の一部と、第１傾斜部２１ｅと第１壁部２１ｃとによって囲まれている。また第１壁部２１ｃに設けられた開口２１ｇは空洞２０ｖと連通している。
【００２２】
図１Ｂに示すように、反射シート２１は、互いに隣接する２つの第１凸部２１ｔのうち、一方の第１凸部２１ｔの第１傾斜部２１ｅと他方の第１凸部２１ｔの第１壁部２１ｃとに挟まれる反射領域２０ｒを有する。図１Ｂでは、反射領域２０ｒおよび隣接する反射領域２０ｒ’が示されている。以下、複数の反射領域２０ｒを区別して説明する場合には、２０ｒ’、２０ｒ’’等の参照符号を付し、区別をしない場合には、参照符号として２０ｒを用いる。図１Ａには３つの反射領域２０ｒ、２０ｒ’、２０ｒ’’が示されている。本実施形態では、各反射領域は、上面視（ｚ軸方向から見た平面）において、矩形形状を有しており、図１Ａおよび図１Ｂに示す形態では、ｙ方向に長手方向を有する。上面視における反射領域２０ｒ、２０ｒ’、２０ｒ’’の大きさ、つまりｘ軸方向およびｙ軸方向の幅は、光源３０から出射し得る光の強度と、各反射領域に求められる輝度および輝度むらとの関係、面発光装置１０１に求められる仕様等に応じて任意の値に設定することができる。また、ｘ方向に配列された反射領域２０ｒ、２０ｒ’、２０ｒ’’の数も同様に任意に決定し得る。
【００２３】
反射部２０は、平坦な反射シート２１を折り曲げる、あるいは、プレス加工することによって形成される。反射シート２１は、折り曲げる、あるいは、プレス加工することのできる材料によって構成されている。また、反射シート２１は、光を反射させる上面２１ａを有し、塑性変形し得る材料によって構成されていることが好ましい。より好ましくは、反射シート２１の上面２１ａは光を乱反射させる。具体的には、反射シート２１には、ＰＥＴ等種々の樹脂からなるシート又は金属板などを用いることができる。反射特性を向上させるために、樹脂中に無機粒子などが添加されていてもよい。また、反射シート２１は２以上の異なる材料の層が積層されたシートであってもよい。表示装置のバックライトに用いられる白色板、反射フィルムなどを好適に用いることが可能である。
【００２４】
折り曲げによって、反射部２０が形成されている場合、平坦な反射シートをたとえば第１壁部２１ｃと接触部２１ｆとの境界および第１壁部２１ｃと第１傾斜部２１ｅとの境界で折り曲げる。あるいは、第１凸部２１ｔの第１壁部２１ｃおよび第１傾斜部２１ｅに対応する面を有する金型を用い、平坦な反射シートをプレス加工してもよい。
【００２５】
反射部２０において、第１折り曲げ部２１ｄでは、反射シート２１が折り曲げられており、反射シート２１が重なるので他の部分よりも厚くなっている。また、第１折り曲げ部２１ｄ以外では、反射部２０は、ほぼ均一な厚さを有している。ここで、均一な厚さとは、反射シート２１の第１折り曲げ部２１ｄを除く領域の任意の位置での厚さが平均値の±１０％以内の値であることを言う。
【００２６】
［光源３０］
光源３０は開口２１ｇ内に位置しており、光源３０の少なくとも一部は、空洞２０ｖに配置されている。図１Ｂに示す形態では、光源３０の概ね全体が空洞２０ｖ内に配置されている。光源３０は、支持体１０の主面１０ａ上に固定されている。
【００２７】
光源３０は、側面発光型の光源であり、光を出射する側面３０ｃを有する。具体的には、光源３０は、開口２１ｇに位置している側面３０ｃから光を出射する。より具体的には、隣接する２つの第１凸部２１ｔのうち、一方の第１凸部２１ｔの第１壁部２１ｃの開口内に位置する光源３０は、対向している他方の第１凸部２１ｔの第１傾斜部２１ｅに向けて光を出射する。光源３０から出射した光は、点線の矢印で示すように、第１傾斜部２１ｅで反射され、図１Ｂにおいて概ねｚ軸方向に進む。
【００２８】
光源３０は、発光ダイオード素子などの少なくとも１つの半導体発光素子を含む。光源３０は白色光を出射することが好ましい。例えば、光源３０は、青色光を出射する半導体発光素子と青色光を黄色光に変換する波長変換部材とを含み、青色光と黄色光との組み合わせによって白色光を出射してもよい。あるいは、青色光を出射する半導体発光素子と、青色光を緑色光に変換する波長変換部材と、青色光を赤色光に変換する波長変換部材と、を含み、青色光と緑色光と赤色光との組み合わせによって白色光を出射してもよい。例えば、青色光を緑色光に変換する波長変換部材としてβサイアロン蛍光体が挙げられ、青色光を赤色光に変換する波長変換部材としてはＫＳＦ系蛍光体等のフッ化物系蛍光体が挙げられる。波長変換部材としてβサイアロン蛍光体とＫＳＦ系蛍光体等のフッ化物系蛍光体とを含むことで発光装置の色再現範囲を広げることができる。また、青色光を出射する半導体発光素子と、緑色光を出射する半導体発光素子と、青色光または緑色光を赤色光に変換する波長変換部材とを含む光源を用いてもよい。あるいは、光源３０は、赤色、緑色および青色をそれぞれ出射する半導体発光素子を含み、３つの波長帯域の光の組み合わせによって白色光を出射してもよい。このような半導体発光素子には、例えば、紫外〜可視域の発光が可能な窒化物半導体（ＩｎxＡｌyＧａ1-x-yＮ、０≦ｘ、０≦ｙ、ｘ＋ｙ≦１）の発光素子を用いることができる。
【００２９】
光源３０は、樹脂、半田、導電性ペースト等の接合部材によって支持体１０の主面１０ａに接合されている。光源３０への給電を支持体１０の表面または内部に設けられた導電層によって行う場合には、光源３０と支持体１０とを接合する材料は、導電性を有している。
【００３０】
［面発光装置１０１の動作、効果等］
面発光装置１０１において、光源３０は、第１凸部２１ｔに向けて光を出射する。このため、光源３０から出射する光のほとんどは、直接外部へは出射せず、第１凸部２１ｔへ入射し、第１凸部２１ｔで反射することによって外部へ出射する。このため、反射によって光が拡散される。したがって、面発光装置１０１は、輝度むらが抑制された光を広い面積から出射させることが可能となる。換言すると、光源３０から出射する光のほとんどが、直接光ではなく、第１凸部２１ｔで反射された反射光として外部へ出射される。直接光の指向性は高いが、反射光は第１凸部２１ｔでの反射によって光が拡散されるために指向性が低くなる。指向性の低い反射光が外部に出射されることで面発光装置１０１は、輝度むらを抑制することが可能となる。
【００３１】
特に第１凸部２１ｔが、第１壁部２１ｃおよび第１傾斜部２１ｅを含み、相対的に主面１０ａに対する傾斜の角度が大きい第１壁部２１ｃに設けた光源３０から相対的に傾斜の角度が小さい第１傾斜部２１ｅに光を出射し反射させることによって、反射された光をｚ方向に出射させやすくなる。また、第１傾斜部２１ｅが曲面形状を有することにより平面形状よりも、反射光は広い角度で分散する。このため、より輝度むらが抑制される。
【００３２】
また、第１凸部２１ｔと支持体１０との間に空洞２０ｖが設けられており、第１凸部２１ｔは支持体１０とは接していない。支持体１０と反射シート２１との熱膨張率が異なっていても、第１凸部２１ｔにおいて、熱膨張率の差異による反射シート２１の膨張及び／又は収縮を吸収することができる。このため、反射シート２１が支持体１０から剥がれることを抑制できる。反射シートが支持体から剥がれると、光源と反射シートの位置が変わってしまい光源からの光をｚ方向に出射させることができないおそれがある。また、空洞２０ｖにおいて、反射シート２１が支持体１０から離間しているため、熱が反射シート２１に伝導しにくく、反射シート２１の劣化が抑制される。したがって、耐熱性および耐久性に優れた面発光装置が実現できる。
【００３３】
また、反射領域２０ｒ、２０ｒ’は、区画されているため、各反射領域に光を出射する光源３０を独立して駆動させることにより、ローカルディミング制御（エリア駆動、部分駆動とも呼ばれる）が可能な面発光装置が実現できる。
【００３４】
さらにバックライト用の白色反射板等として反射シートを使用することにより、比較的容易な製造工程を用い、低コストで面発光装置１０１を製造することが可能である。
【００３５】
［製造方法］
面発光装置１０１は例えば以下の工程によって製造することができる。まず、図２に示すように、平板状の反射シートを加工し、反射部２０を形成する。例えば、上述した材料からなる平板状の反射シートを用意し、第１凸部２１ｔに対応する複数の凹凸が形成された金型を用い、プレス加工によって反射シートを変形させることにより、複数の第１凸部２１ｔを有する反射シート２１を形成する。開口２１ｇは、複数の第１凸部２１ｔを形成する前に形成しても、複数の第１凸部２１ｔを形成した後に形成してもよい。形成された複数の第１凸部２１ｔ間に接触部２１ｆが位置している。
【００３６】
次に図２に示すように、支持体１０上に複数の光源３０を接合する。支持体１０には、例えば、光源３０に電力を供給するための配線パターンが支持体１０の主面１０ａに形成されている。また、配線パターンは支持体１０の内部に形成されていてもよい。主面１０ａに配線パターンが形成されている場合には、配線パターンのうち、光源３０と電気的に接続させる領域を除いて、絶縁性被膜で覆っていることが好ましい。光源３０と支持体１０との接合は上述した材料を用いることができる。
【００３７】
光源３０が配置された支持体１０の主面１０ａを覆うように反射部２０と支持体１０とを合わせる。この時、光源３０が反射部２０の空洞２０ｖとなる空間内に位置するように、反射部２０を配置する。その後、光源３０の側面３０ｃが第１壁部２１ｃの開口２１ｇと一致するように反射部２０をｘ−ｙ平面において移動させる。反射部２０の開口２１ｇの位置を光源３０に一致させたのち、反射シート２１の接触部２１ｆと支持体１０とを接合する。接合には例えば、接着剤などを用いることができる。これにより、面発光装置１０１が完成する。
【００３８】
（第１の実施形態の変形例）
第１の実施形態の面発光装置には種々の変形例が可能である。図３Ａは、各反射領域に複数の光源３０を備える面発光装置１０１’の模式的斜視図である。面発光装置１０１’の各第１凸部２１ｔの第１壁部２１ｃに、ｙ方向に配列された複数の開口２１ｇが設けられている。光源３０は、各開口２１ｇ内に位置し、光源３０の少なくとも一部は、空洞２０ｖに配置されている。ｙ方向に配列される複数の開口２１ｇの間隔は、例えば、一定であってもよいし、ｙ方向において異なっていてもよい。例えば、開口２１ｇは、光源３０から出射する光による輝度が大きく低下する領域が生じない間隔で配置されていてもよい。ｙ方向に配列される開口２１ｇの数は用途等に応じて任意に決定し得る。
【００３９】
面発光装置１０１’によれば、各反射領域２０ｒにおいて複数の光源３０からの光を出射させるため、各反射領域における輝度むらをより抑制することが可能となる。また、ｙ方向に各反射領域を拡大することが可能であり、例えば、表示パネルにおいて、ストライプ状の反射領域を独立して明滅させるローカルディミング制御が可能な表示パネルを実現することが可能である。
【００４０】
図３Ｂは、面発光装置１０１を複数備える面発光装置１０１’’の模式的斜視図である。面発光装置１０１’’は、複数の面発光装置１０１と、１以上の壁部材４２とを備える。面発光装置１０１’’は、面発光装置１０１を複数備えるので面発光装置１０１と同様に輝度むらを抑制することが可能である。
【００４１】
面発光装置１０１は例えば、第１の実施形態として説明した通りの構造を備える。複数の面発光装置１０１は、第１凸部２１ｔが延びるｙ方向に配列されており、隣接する２つの面発光装置１０１間に壁部材４２が配置されている。隣接する２つの面発光装置１０１の各反射領域２０ｒの位置は、ｙ方向に一致していてもよい。壁部材４２は、一方の反射領域２０ｒの光が他方へ漏れこまないようにｙ方向に隣接する２つの反射領域２０ｒを区切っている。壁部材４２は、例えば、反射シート２１と同様に、光源３０から出射する光を反射する壁面４２ｃを有する。壁部材４２は反射シート２１と同じ材料によって構成してもよい。この場合、壁部材４２と反射部２０とを１枚の反射シート２１を用いて形成してもよい。また、図３Ｂに示す形態では、壁面４２ｃは第１壁部２１ｃと同様、支持体１０の主面１０ａに対して概ね垂直であり、第１傾斜部２１ｅと壁面４２ｃとの間に明確な境界が存在している。しかし、第１傾斜部２１ｅと壁面４２ｃとの境界を曲面によって構成してもよい。
【００４２】
面発光装置１０１’’において、反射領域２０ｒはｘ方向およびｙ方向の２次元に配列される。したがって、各反射領域２０ｒの光源３０を独立して発光させることにより、より小さい領域でバックライトの明滅を制御することが可能であり、より高精細なコントラストで画像を表示し得る表示装置を実現することが可能である。
【００４３】
また、図１Ａおよび図１Ｂに示す面発光装置において、第１壁部２１ｃは支持体１０の主面１０ａに対して概ね垂直であったが、第１壁部２１ｃは支持体１０の主面１０ａに対して垂直以外の角度をなしていてもよい。図１Ｅに示すように、面発光装置１０６において、第１壁部２１ｃは、主面１０ａに対して、傾斜している。主面１０ａに対する傾斜の角度は、第１傾斜部２１ｅよりも第１壁部２１ｃのほうが大きい。第１壁部２１ｃには、開口２１ｇが設けられ、光源３０が開口２１ｇ内に位置している。上記実施形態と同様、光源３０から傾斜の角度が小さい第１傾斜部２１ｅに光を出射し反射させることによって、反射された光をｚ方向に出射させやすくなる。また、第１傾斜部２１ｅで反射し、第１壁部２１ｃに入射する光も、第１壁部２１ｃが傾斜していることによって、外部に出射されやすくなる。
【００４４】
（第２の実施形態）
図４Ａおよび図４Ｂは本開示の面発光装置の第２の実施形態を示す模式的上面図および模式的斜視図である。図４Ｃおよび図４Ｄは、本実施形態の面発光装置１０２の、図４Ａの４Ｃ−４Ｃ線および４Ｄ−４Ｄ線のおける断面図である。
【００４５】
面発光装置１０２は、支持体１０と、反射部２０’と、光源３０とを備える。反射部２０’において、反射シート２１は、ｙ軸方向（第１方向）に配列され、ｘ軸方向（第２方向）に延びる複数の第２凸部２１ｓを有する。第２凸部２１ｓの伸びる方向は、主面１０ａと平行な面上における第２折り曲げ部２１ｊの延伸する方向で定義される。
【００４６】
反射領域２０ｒ（図４Ｂにおいて破線で囲まれている）は、複数の第２凸部２１ｓのうち隣接する２つの第２凸部２１ｓによってｙ軸方向に区切られている。このため、第１凸部２１ｔの第１壁部２１ｃは、隣接する２つの第２凸部２１ｓによって区切られている。言い換えると、第１壁部２１ｃは、隣接する２つの第２凸部２１ｓの間に位置する。各反射領域２０ｒにおいて、開口２１ｇは、第１壁部２１ｃのｙ軸方向における略中央に位置している。図４Ｃに示すように、第１の実施形態と同様、第１凸部２１ｔと支持体１０との間には、空洞２０ｖが位置している。光源３０は開口２１ｇ内に位置しており、光源３０の少なくとも一部は、空洞２０ｖに配置されている。
【００４７】
図４Ｄに示すように、各第２凸部２１ｓは、第２傾斜部２１ｈ、２１ｋと、第２折り曲げ部２１ｊとを含む。第２折り曲げ部２１ｊは、第２傾斜部２１ｈおよび第２傾斜部２１ｋと接続されており、かつ、第２傾斜部２１ｈと第２傾斜部２１ｋとの間に位置している。また、第２凸部２１ｓと支持体１０との間に空洞２０ｕが位置している。第２折り曲げ部２１ｊは第１折り曲げ部２１ｄと同様、屈曲部分と接続部分とを有する。第２折り曲げ部２１ｊと第２傾斜部２１ｈおよび第２傾斜部２１ｋとの境界の位置も第１折り曲げ部２１ｄと第１傾斜部２１ｅおよび第１壁部２１ｃとの境界の位置と同様に定義される。
【００４８】
隣接する２つの第２凸部２１ｓのうち、一方の第２傾斜部２１ｈと、これに対向して位置する他方の第２傾斜部２１ｋによって反射領域２０ｒはｙ方向に挟まれている。第１の実施形態で説明したように、反射領域２０ｒは、ｘ方向では、第１壁部２１ｃと、第１凸部２１ｔの第１傾斜部２１ｅとによって挟まれている。これにより、反射領域２０ｒはｘ軸方向およびｙ軸方向の２次元に配列される。
【００４９】
図４Ｂに示すように、各反射領域２０ｒにおいて、第２傾斜部２１ｈ、２１ｋと第１傾斜部２１ｅとは、第１壁部２１ｃの開口２１ｇの下側に向かって傾斜している連続する曲面２１ｑを構成している。接触部２１ｆは第１壁部２１ｃと、第２傾斜部２１ｈ、２１ｋおよび第１傾斜部２１ｅとによって囲まれており、支持体１０の主面１０ａと接している。接触部２１ｆを除き、各第１凸部２１ｔおよび各第２凸部２１ｓと支持体１０との間に位置する空洞２０ｖおよび空洞２０ｕは全体につながっており、反射部２０’の裏側全体に空洞が広がっている。
【００５０】
各反射領域２０ｒの上面視において、第１壁部２１ｃと接続している第１折り曲げ部２１ｄの一端および第２凸部２１ｓの第２折り曲げ部２１ｊが接合する点と、開口２１ｇの下端側の中心とを結ぶ線によって、曲面２１ｑにおける第１傾斜部２１ｅと第２傾斜部２１ｈとの境界２１ｘが定義される。また、第１壁部２１ｃと接続している第１折り曲げ部２１ｄの他端および第２凸部２１ｓの第２折り曲げ部２１ｊが接合する点と、開口２１ｇの下端側の中心とを結ぶ線によって、曲面２１ｑにおける第１傾斜部２１ｅと第２傾斜部２１ｋとの境界２１ｙが定義される。接触部２１ｆは第１の実施形態で説明したように、支持体１０の主面１０ａと接している領域として定義される。上面視における各反射領域２０ｒの角が丸く形成されている場合には、上面視において、第１折り曲げ部２１ｄおよび第２折り曲げ部２１ｊの中央近傍の直線部分を延長し、２つの直線が交わる点を上述の境界の定義に用いる。各反射領域２０ｒの、ｘ軸に垂直なｙｚ平面での断面において、第２傾斜部２１ｈと第２傾斜部２１ｋとの間には、接触部２１ｆおよび第１傾斜部２１ｅのいずれかが位置している。図４Ｄに示すように、図４Ａの４Ｄ−４Ｄ線の位置では、第２傾斜部２１ｈと第２傾斜部２１ｋとの間には、第１傾斜部２１ｅが位置している。
【００５１】
このような形状を有する反射部２０’は、反射領域２０ｒを構成する第１壁部２１ｃ、第１傾斜部２１ｅ、第２傾斜部２１ｈ、２１ｋおよび接触部２１ｆに対応する連続した面を有する金型を用意し、平板状の反射シートをプレス加工によって、変形させることによって形成することができる。
【００５２】
面発光装置１０２において、複数の反射領域２０ｒは２次元に配列されている。このため、バックライトの明滅を２次元で制御することが可能であり、より高精細なコントラストで画像を表示し得る表示装置を実現することが可能である。
【００５３】
光源３０は、連続した曲面を構成している第２傾斜部２１ｈ、２１ｋおよび第１傾斜部２１ｅに向けて光を出射する。このため、光の反射方向や分布が急激に変化する境界が第２傾斜部２１ｈ、２１ｋと第１傾斜部２１ｅとの間にはなく、反射領域２０ｒから出射する光の輝度むらがより抑制される。
【００５４】
また、空洞２０ｕ、２０ｖが、支持体１０と、第１傾斜部２１ｅおよび第２傾斜部２１ｈ、２１ｋによる傾斜面の裏側全体との間に広がっているので、より確実に反射シート２１の剥がれおよび反射シートの劣化を抑制することができる。
【００５５】
（第３の実施形態）
図５Ａおよび図５Ｂは本開示の面発光装置の第３の実施形態を示す模式的斜視図である。図５Ｃおよび図５Ｄは、本実施形態の面発光装置１０３の、図５Ａの５Ｃ−５Ｃ線および５Ｄ−５Ｄ線における断面図である。面発光装置１０３は、光源３０が上面視における矩形の反射領域の角に位置している点で第２の実施形態の面発光装置１０２と異なる。
【００５６】
面発光装置１０３は、支持体１０と、反射部２０’’と、光源３０とを備える。反射部２０’’において、反射シート２１は、複数の第１凸部２１ｔと複数の第２凸部２１ｓとを含む。第１凸部２１ｔはｘ軸方向（第２方向）に配列され、ｙ軸方向（第１方向）に延びており、第２凸部２１ｓはｙ軸方向（第１方向）に配列され、ｘ軸方向（第２方向）に延びている。第１凸部２１ｔおよび第２凸部２１ｓの伸びる方向は、第１折り曲げ部２１ｄおよび第２折り曲げ部２１ｊの伸びる方向で定義される。
【００５７】
各第１凸部２１ｔは、第１壁部２１ｃ、第１傾斜部２１ｅおよび第１折り曲げ部２１ｄを含む。第１折り曲げ部２１ｄは、第１壁部２１ｃおよび第１傾斜部２１ｅと接続されており、かつ、第１壁部２１ｃと第１傾斜部２１ｅとの間に位置している。第１傾斜部２１ｅは、第１壁部２１ｃよりも主面１０ａに対する傾斜が小さい。本実施形態では、第１壁部２１ｃは主面１０ａに対してほぼ垂直である。第１壁部２１ｃおよび第１傾斜部２１ｅは隣接する２つの反射領域２０ｒ、２０ｒ’（図５Ｂにおいて破線で囲まれている）の一方および他方にそれぞれに位置している。
【００５８】
同様に、各第２凸部２１ｓは、第２壁部２１ｍ、第２傾斜部２１ｎおよび第２折り曲げ部２１ｊを含む。第２折り曲げ部２１ｊは、第２壁部２１ｍおよび第２傾斜部２１ｎと接続されており、かつ、第２壁部２１ｍと第２傾斜部２１ｎとの間に位置している。第２傾斜部２１ｎは、第２壁部２１ｍよりも主面１０ａに対する傾斜が小さい。本実施形態では、第２壁部２１ｍは主面１０ａに対してほぼ垂直である。第２壁部２１ｍおよび第２傾斜部２１ｎは隣接する２つの反射領域２０ｒのそれぞれを構成している。
【００５９】
各反射領域２０ｒは、ｘ方向において、第１壁部２１ｃと第１傾斜部２１ｅとに挟まれ、ｙ方向において、第２壁部２１ｍと第２傾斜部２１ｎとに挟まれている。これにより、反射領域２０ｒはｘ軸方向およびｙ軸方向の２次元に配列される。
【００６０】
各反射領域２０ｒにおいて、第１壁部２１ｃおよび第２壁部２１ｍは互いに接合している。また、第１傾斜部２１ｅおよび第２傾斜部２１ｎは互いに接合し１つの曲面２１ｐを構成している。上面視において、各反射領域２０ｒは矩形形状を有しており、第１壁部２１ｃおよび第２壁部２１ｍは、矩形の隣接する２つの辺を構成する。同様に、第１傾斜部２１ｅおよび第２傾斜部２１ｎは、矩形の隣接する他の２つの辺を構成する。
【００６１】
図５Ｂにおいて、破線で示すように、曲面２１ｐにおける第１傾斜部２１ｅと第２傾斜部２１ｎとの境界２１ｗは、上面視における矩形の反射領域２０ｒの１つの対角線２０ｏ（一点鎖線で示す）で定義される。上面視における各反射領域２０ｒの角が丸く形成されている場合には、上面視において、２つの第１折り曲げ部２１ｄおよび２つの第２折り曲げ部２１ｊの中央近傍の直線部分をそれぞれ延長し、２組の２つの直線が交わる点を結ぶ対角線を境界の定義に用いる。
【００６２】
さらに、各反射領域２０ｒにおいて、開口２１ｇは、第１壁部２１ｃおよび第２壁部２１ｍの互いに接合する領域に位置している。第１の実施形態と同様、第１凸部２１ｔと支持体１０との間には、空洞２０ｖが位置している。本実施形態では、第１凸部２１ｔの第１壁部２１ｃは支持体１０の主面１０ａに対してほぼ垂直であるため、空洞２０ｖは、実質的に第１傾斜部２１ｅと支持体１０との間に位置している。また、第２凸部２１ｓと支持体１０との間、つまり、実質的には、第２傾斜部２１ｎと支持体１０との間にも空洞２０ｕが位置している。空洞２０ｖと空洞２０ｖは、対角線２０ｏを通る断面において接続している。開口２１ｇは、空洞２０ｖおよび空洞２０ｕと連通している。光源３０は開口２１ｇ内に位置しており、光源３０の一部は、空洞２０ｖおよび空洞２０ｕに配置されている。開口２１ｇが第１壁部２１ｃおよび第２壁部２１ｍの互いに接合する領域に位置しているため、光源３０の一部は、反射領域２０ｒ内に位置している。
【００６３】
各反射領域２０ｒにおいて、第１傾斜部２１ｅおよび第２傾斜部２１ｎは、開口２１ｇの底部に向かって傾斜している連続する曲面を構成している。接触部２１ｆは第１壁部２１ｃ、第２壁部２１ｍ、第１傾斜部２１ｅおよび第２傾斜部２１ｎによって囲まれており、支持体１０の主面１０ａと接している。
【００６４】
反射部２０’’は、反射領域２０ｒを構成する第１壁部２１ｃ、第２壁部２１ｍ、第１傾斜部２１ｅ、第２傾斜部２１ｎおよび接触部２１ｆに対応する連続した面を有する金型を用意し、平板状の反射シートをプレス加工によって、変形させることによって形成することができる。
【００６５】
面発光装置１０３において、複数の反射領域２０ｒは２次元に配列されている。このため、バックライトの明滅を２次元で制御することが可能であり、より高精細なコントラストで画像を表示し得る表示装置を実現することが可能である。
【００６６】
光源３０は、連続した曲面を構成している第１傾斜部２１ｅおよび第２傾斜部２１ｎに向けて光を出射する。このため、光の反射方向や分布が急激に変化する境界が第１傾斜部２１ｅと第２傾斜部２１ｎとの間にはなく、反射領域２０ｒから出射する光の輝度むらがより抑制される。
【００６７】
（その他の実施形態）
［拡散板を有する形態］
本開示の面発光装置には種々の変形例が可能である。図６は、拡散板を備える変形例の模式的断面図である。図６に示す面発光装置１０４は、拡散板４０をさらに備えている点で、第１の実施形態の面発光装置１０１と異なる。拡散板は第２、３の実施形態の面発光装置とも好適に組み合わせることが可能である。
【００６８】
拡散板４０は、反射領域２０ｒ、２０ｒ’の開口を覆うように、反射部２０と対向する位置に配置されている。拡散板４０は、第１凸部２１ｔの第１折り曲げ部２１ｄの先端と接していてもよいし、離間していてもよい。拡散板４０には、輝度むらを抑制するために、照明装置および表示装置の面発光光源等として用いられる種々の物性の拡散板を用いることができる。
【００６９】
各反射領域から出射する光は、拡散板４０を通過することによって、拡散する。したがって、拡散板４０を有することによって、面発光装置１０４は、より輝度むらが抑制された光を出射することができる。
【００７０】
［遮光部材を有する形態］
面発光装置は光源からの直接光を遮る遮光部材を備えていてもよい。図７Ａから図７Ｃは、遮光部材を備える変形例の模式的断面図である。図７Ａから図７Ｃに示す面発光装置１０５は、複数の遮光部材５０を備えている点で第１の実施形態の面発光装置１０１と異なる。遮光部材は第２、３の実施形態の面発光装置とも好適に組み合わせることが可能である。遮光部材５０は、光源３０の光が出射する側面３０ｃに接し、光源から出射する光が通過する領域５１の少なくとも一部の上方を覆っている。遮光部材５０は、光源３０から出射する光を遮る。
【００７１】
遮光部材５０の光に対する透過率は、光源から出射する直接光の強度に応じて任意に設定し得る。遮光部材５０の光の透過率は、例えば５％程度以上９０％程度以下であってよい。遮光部材５０は全体に均一な透過率を有していてもよい。あるいは、遮光部材５０は、メッシュまたはドット形状を有し、メッシュまたはドット部分における光の透過率が約５％以下であり、メッシュの孔およびドット以外の部分の透過率は５％以上、例えば、１００％であってもよい。この場合、メッシュにおける孔が占める割合、または、ドットが示す割合を変化させることによって、遮光部材全体の透過率を調整できる。遮光部材５０は、例えば、反射シート２１と同様の材料により形成されていてもよい。
【００７２】
図７Ａに示す面発光装置１０５において、遮光部材５０は、反射部２０の第１凸部２１ｔの第１折り曲げ部２１ｄに接続されており、上面視において、領域５１の少なくとも一部を覆っている。図７Ｂに示す面発光装置１０５では、遮光部材５０は、光源３０の上面に接続されている。また図７Ｃに示す面発光装置１０５は拡散板４０を備え、拡散板４０の一部に遮光部材５０が設けられている。
【００７３】
図７Ａから図７Ｃに示す面発光装置１０５によれば、光源３０から出射する光のうち、反射部２０の第１傾斜部２１ｅに入射せずに直接外部へ出射する光を遮る。したがって、各反射領域２０ｒにおいて、直接光による輝度の高い領域を低減し、面発光装置１０５における輝度むらをさらに抑制することができる。
【００７４】
［光源３０の例］
図８Ａから図８Ｅを参照しながら光源３０の具体的な一例を説明する。図８Ａは、光源３０の模式的正面図であり、図８Ｂは、光源３０の底面図である。図８Ｃは、光源３０から透光性部材を省略した正面図である。図８Ｂの８Ｃ−８Ｃ線における模式端面図である。図８Ｄおよび図８Ｅは、光源３０の、図８Ａの８Ｄ−８Ｄ線における模式的断面図である。図８Ｃでは、透光性部材７３内に配置した青色発光素子７１ｂと緑色発光素子７１ｇが容易に認識できるように、透光性部材７３及び赤色蛍光体７４の記載を省略している。
【００７５】
光源３０は、樹脂パッケージ７２と、少なくとも１つの青色発光素子（第１発光素子）７１ｂと、少なくとも１つの緑色発光素子（第２発光素子）７１ｇと、第１電極３６と第２電極３７とを備える。図８Ｄに示すように、樹脂パッケージ７２はキャビティ７２ｈを有し、キャビティ７２ｈの開口７２ｇが側面７２ｆに位置している。図８Ｄに示すように、キャビティ７２ｈの底面７２ｉは、開口７２ｇからｘ軸方向に離間して位置している。つまり、キャビティ７２ｈの深さ方向はｘ軸方向と一致している。
【００７６】
光源３０は、樹脂パッケージ７２の側面７２ｆに位置する開口７２ｇから光を出射する側面発光型の光源である。以下において詳細に説明するように、第１電極３６および第２電極３７は、樹脂パッケージ７２に埋設された第１インナーリード部３６ａおよび第２インナーリード部３７ａをそれぞれ有し、第１インナーリード部３６ａおよび第２インナーリード部３７ａは、キャビティ７２ｈの底面７２ｉに位置している。青色発光素子７１ｂおよび緑色発光素子７１ｇは、樹脂パッケージ７２のキャビティ７２ｈ内において、底面７２ｉに位置する第１インナーリード部３６ａおよび第２インナーリード部３７ａの上面に位置している。
【００７７】
得ようとする光量等に応じて光源３０は、２つ以上の青色発光素子７１ｂを有してよく、また２つ以上の緑色発光素子７１ｇを有してよい。また、図８Ａから図８Ｅに示す実施形態では、青色発光素子７１ｂの個数と緑色発光素子７１ｇの個数は同じであるがこれに限定されるものではない。
【００７８】
青色発光素子７１ｂは、その発光のピーク波長が４３０ｎｍ以上４９０ｎｍ未満の範囲（青色領域の波長範囲）にあり、４４０ｎｍ以上４７０ｎｍ以下の範囲にあることが好ましい。また、緑色発光素子７１ｇは、その発光のピーク波長が４９０ｎｍ以上５７０ｎｍ以下の範囲（緑色領域の波長範囲）にあり、５２０ｎｍ以上５５０ｎｍ以下の範囲にあることが好ましい。
【００７９】
第１電極は、第１インナーリード部３６ａの他に、第１アウターリード部３６ｂを含む。第１アウターリード部３６ｂはさらに、底面部３６ｂｂおよび側面部３６ｂｓを含む。底面部３６ｂｂおよび側面部３６ｂｓは、樹脂パッケージ７２の下面７２ｂおよび側面７２ｃにそれぞれ位置している。
【００８０】
同様に、第２電極は、第２インナーリード部３７ａの他に、第２アウターリード部３７ｂを含む。第２アウターリード部３７ｂはさらに、底面部３７ｂｂおよび側面部３７ｂｓを含む。底面部３７ｂｂおよび側面部３７ｂｓは、樹脂パッケージ７２の下面７２ｂおよび側面７２ｄにそれぞれ位置している。
【００８１】
青色発光素子７１ｂおよび緑色発光素子７１ｇは、それぞれ、例えば、支持体１０（実装基板）の配線層のような外部の回路と電気的に接続されており、当該外部回路を介して供給された電力により発光する。光源３０の図８Ａから図８Ｅに示すように、青色発光素子７１ｂ、緑色発光素子７１ｇ、第１インナーリード部３６ａおよび第２インナーリード部３７ａがワイヤ７６を介して電気的に接続されていてもよい。第１インナーリード部３６ａおよび第２インナーリード部３７ａはそれぞれ、第１アウターリード部３６ｂおよび第２アウターリード部３７ｂと接続されている。このため、第１アウターリード部３６ｂおよび第２アウターリード部３７ｂが半田などにより、実装基板の配線層と接続されることによって、青色発光素子７１ｂおよび緑色発光素子７１ｇを外部回路と電気的に接続できる。
【００８２】
なお、光源３０では、樹脂パッケージ７２と第１電極３６と第２電極３７とを総称して光源支持体７７という。光源支持体７７は、青色発光素子７１ｂおよび緑色発光素子７１ｇを配置するための部材であって、例えば、樹脂パッケージまたは基板等の基体と、当該基体の表面または内部に配置され、発光素子に電力を供給するための導電部材とを含む。この導電部材として、例えば、リード、ビアまたは配線層が挙げられる。
【００８３】
樹脂パッケージ７２のキャビティ内には透光性部材７３が配置されている。透光性部材７３は、例えば、封止樹脂またはガラス等であってよい。透光性部材７３は、赤色蛍光体７４を含んでいる。赤色蛍光体７４は、青色発光素子７１ｂの発光する青色光の一部を吸収して赤色光を発光する。すなわち、赤色蛍光体７４は青色光を赤色光に波長変換する。
【００８４】
青色発光素子７１ｂと緑色発光素子７１ｇとの間において、赤色蛍光体７４の含有密度は、ｘ軸方向に高さ方向を取った場合において、緑色発光素子７１ｇの上面７１ｇａの高さより上側、つまり、上面７１ｇａより開口７２ｇ側も、緑色発光素子７１ｇの上面７１ｇａの高さより下側、つまりキャビティ７２ｈの底面７２ｉ側の方が高くなっている。例えば、青色発光素子７１ｂと緑色発光素子７１ｇとの間において、緑色発光素子７１ｇの上面の高さより下側の赤色蛍光体７４の含有密度は、緑色発光素子７１ｇの上面７１ｇａの高さより上側の赤色蛍光体７４の含有密度の２倍以上であってよい。すなわち、青色発光素子７１ｂと緑色発光素子７１ｇとの間において、緑色発光素子７１ｇの上面７１ａの高さから透光性部材７３の上面までの間の部分の赤色蛍光体７４の含有密度は、緑色発光素子７１ｇの上面７１ａの高さから透光性部材７３の下面までの間の部分の赤色蛍光体７４の含有密度の１／２倍以下であってよい。
【００８５】
「青色発光素子７１ｂと緑色発光素子７１ｇとの間」とは、透光性部材７３の部分であって、隣り合って配置された青色発光素子７１ｂと緑色発光素子７１ｇの対向する端面間の部分および当該端面間の部分の直上部分を意味する。
【００８６】
例えば、図８Ａから図８Ｅに示す形態では、青色発光素子７１ｂの右側端面とこれに対向する、緑色発光素子７１ｇの左側端面の間およびこの端面間の上の部分である。すなわち、左右方向の位置が青色発光素子７１ｂの右側端面と緑色発光素子７１ｇの左側端面との間であり、上下方向の位置が緑色発光素子７１ｇよりも上の部分である。
【００８７】
なお、透光性部材７３における赤色蛍光体７４の含有密度とは、単位体積の透光性部材７３に含まれる赤色蛍光体７４の体積を意味する。実用上、容易に評価できるように、赤色蛍光体の含有密度は、断面観察により求めてもよい。具体的には、断面における単位面積の透光性部材７３に含まれる赤色蛍光体７４の面積により評価してよい。
【００８８】
上述の赤色蛍光体７４の含有密度（分布密度）を制御する手法としては、沈降法を例示できる。沈降法では、例えば、溶融した透光性部材形成材料中に赤色蛍光体を分散させる。そして、樹脂パッケージ７２のキャビティのような、透光性部材７３を形成する部位に、この溶融した透光性部材形成材料を配置した後、重力により赤色蛍光体７４が沈降し、緑色発光素子７１ｇの上面より下の部分の赤色蛍光体７４の含有密度が、緑色発光素子７１ｇの上面より上の部分の赤色蛍光体７４の分布密度より高い状態で、透光性部材形成用材料を硬化させて、所望の赤色蛍光体７４の含有密度分布を有する透光性部材７３を得るものである。さらに、赤色蛍光体７４は、遠心力を利用して強制的に沈降させることが好ましい。例えば、透光性部材形成用材料が硬化前の面発光装置を遠心分離機にかけることにより赤色蛍光体７４を強制的に沈降させることができる。
【００８９】
沈降法により形成した透光性部材７３の赤色蛍光体７４の含有密度分布の好ましい実施形態の１つとして、図８Ｄに示すように、青色発光素子７１ｂと緑色発光素子７１ｇとの間において、ｘ軸方向における透光性部材７３の上面近傍では、赤色蛍光体７４がほとんど存在せず、緑色発光素子７１ｇの上面７１ｇａよりも上の部分から、下方に向かって徐々に赤色蛍光体７４の分布密度が高くなり、樹脂パッケージ７２のキャビティの底面７２ｉ近傍（透光性部材７３の下面近傍）が赤色蛍光体７４の分布密度が最も高くなる形態を挙げることができる。青色発光素子７１ｂと緑色発光素子７１ｇとの間に、本発明の効果を有する高さで赤色蛍光体７４が沈降し易いように、青色発光素子７１ｂと緑色発光素子７１ｇは、一定の間隔、例えば、赤色蛍光体７４の平均粒径よりも大きい間隔を空けて光源支持体７７に配置されることが好ましい。ここで、赤色蛍光体の平均粒径は、例えば、体積平均粒径として１μｍ以上１００μｍ以下であり、５μｍ以上７０μｍ以下が好ましく、２０μｍ以上７０μｍ以下がより好ましい。赤色蛍光体７４の体積平均粒径は、レーザー回折式粒度分布測定装置（ＭＡＬＶＥＲＮ社製ＭＡＳＴＥＲ  ＳＩＺＥＲ  ２０００）により測定される粒径（メジアン径）である。
【００９０】
赤色蛍光体７４は、ＣＡＳＮ系またはＳＣＡＳＮ系の赤色蛍光体の１種以上であってよい。好ましくは、赤色蛍光体７４は緑色光を吸収して赤色光を発光することがほとんどない。すなわち、赤色蛍光体７４は緑色光を赤色に実質的に変換しない。そして、赤色蛍光体７４の緑色光に対する反射率は、緑色光の波長の範囲で平均して７０％以上であることが好ましい。赤色蛍光体７４の緑色光に対する反射率が高い、すなわち、緑色光を吸収することが少ない蛍光体、すなわち緑色光を波長変換することが少ない蛍光体とすることにより、面発光装置の設計を容易にすることができる。
【００９１】
緑色光の吸収が大きい赤色蛍光体を使うと、青色発光素子７１ｂだけでなく、緑色発光素子７１ｇについても赤色蛍光体７４による波長変換を考慮して面発光装置の出力バランスを検討しなければない。一方、緑色光をほとんど波長変換しない赤色蛍光体７４を用いると、青色発光素子７１ｂの発光する青色の波長変換のみを考慮するだけで面発光装置の出力バランスを設計することができる。
【００９２】
このような好ましい赤色蛍光体７４として以下の赤色蛍光体を挙げることができる。赤色蛍光体７４はこれらの少なくとも１つ以上である。
【００９３】
第１の種類は、その組成が以下の一般式（Ｉ）で示される赤色蛍光体である。
Ａ2ＭＦ6：Ｍｎ4+    （Ｉ）
【００９４】
ただし、上記一般式（Ｉ）中、Ａは、Ｋ、Ｌｉ、Ｎａ、Ｒｂ、Ｃｓ及びＮＨ4+からなる群から選ばれる少なくとも１種であり、Ｍは、第４族元素及び第１４族元素からなる群から選ばれる少なくとも１種の元素である。
【００９５】
第４族元素はチタン（Ｔｉ）、ジルコニウム（Ｚｒ）およびハフニウム（Ｈｆ）である。第１４族元素は、ケイ素（Ｓｉ）、ゲルマニウム（Ｇｅ）、スズ（Ｓｎ）および鉛（Ｐｂ）である。
【００９６】
第１の種類の赤色蛍光体の具体例として、Ｋ2ＳｉＦ6：Ｍｎ4+、Ｋ2（Ｓｉ，Ｇｅ）Ｆ6：Ｍｎ4+、Ｋ2ＴｉＦ6：Ｍｎ4+を挙げることができる。
【００９７】
第２の種類は、その組成が３．５ＭｇＯ・０．５ＭｇＦ2・ＧｅＯ2：Ｍｎ4+で表される赤色蛍光体または、その組成が以下の一般式（ＩＩ）で示される赤色蛍光体である。
（ｘ−ａ）ＭｇＯ・ａ（Ｍａ）Ｏ・ｂ／２（Ｍｂ）2Ｏ3・ｙＭｇＦ2・ｃ（Ｍｃ）Ｘ2・（１−ｄ−ｅ）ＧｅＯ2・ｄ（Ｍｄ）Ｏ2・ｅ（Ｍｅ）2Ｏ3：Ｍｎ4+      （ＩＩ）
【００９８】
ただし、上記一般式（ＩＩ）中、Ｍａは、Ｃａ，Ｓｒ，Ｂａ，Ｚｎから選択された少なくとも１種であり、Ｍｂは、Ｓｃ，Ｌａ，Ｌｕから選択された少なくとも１種であり、Ｍｃは、Ｃａ，Ｓｒ，Ｂａ，Ｚｎから選択された少なくとも１種であり、Ｘは、Ｆ，Ｃｌから選択された少なくとも１種であり、Ｍｄは、Ｔｉ，Ｓｎ，Ｚｒから選択された少なくとも１種であり、Ｍｅは、Ｂ，Ａｌ，Ｇａ，Ｉｎから選択された少なくとも１種である。また、ｘ、ｙ、ａ、ｂ、ｃ、ｄ、ｅについて、２≦ｘ≦４、０＜ｙ≦２、０≦ａ≦１．５、０≦ｂ＜１、０≦ｃ≦２、０≦ｄ≦０．５、０≦ｅ＜１である。
【００９９】
上記二つの赤色蛍光体のうち、上記一般式（Ｉ）で示される赤色蛍光体のほうが、上記一般式（ＩＩ）で示される赤色蛍光体よりも、青色発光素子７１ｂの光で励起され易い点で好ましい。また、上記一般式（Ｉ）で示される赤色蛍光体のほうが、上記一般式（ＩＩ）で示される赤色蛍光体よりも、発光ピーク波長が視感度曲線のピークに近いので、赤味成分を維持しつつ光束を上げることができる。
【０１００】
第２の種類の赤色蛍光体の他の具体例として、緑色の光に対する反射率が比較的高い、Ｙ2Ｏ2Ｓ：Ｅｕ3+、Ｌａ2Ｏ2Ｓ：Ｅｕ3+、ＡＥｕXＬｎ(1-X)Ｍ2Ｏ8（０＜Ｘ≦１、Ａは、Ｌｉ，Ｎａ，Ｋ，ＰｂおよびＣｓから選択される少なくとも一種であり、Ｌｎは、Ｙ，Ｌａ，ＣｄおよびＬｕから選択される少なくとも一種であり、Ｍは、ＷまたはＭｏである。）を挙げることができる。
【０１０１】
このような透光性部材７３は、青色発光素子７１ｂの少なくとも一部と緑色発光素子７１ｇの少なくとも一部とを覆う。また、透光性部材７３は、その少なくとも一部が、青色発光素子７１ｂおよび緑色発光素子７１ｇの間に位置するように配置されている。好ましくは青色発光素子７１ｂと緑色発光素子７１ｇの上に跨って、それらに接触して配置される。図８Ａから図８Ｅに示すように、ｘ軸方向における青色発光素子７１ｂは第１インナーリード部３６ａまたは第２インナーリード部３７ａと接触している底面以外の面（すなわち、上面および側面）全体が実質的に透光性部材７３により覆われてよい。同様に、緑色発光素子７１ｇは第１インナーリード部３６ａまたは第２インナーリード部３７ａと接触している底面以外の面（すなわち、上面および側面）全体が実質的に透光性部材７３により覆われてよい。
【０１０２】
透光性部材７３が青色発光素子７１ｂを覆うことにより、青色発光素子７１ｂから発光された青色光の一部は透光性部材７３中の赤色蛍光体７４により吸収され、赤色蛍光体７４は赤色光を発光する。そして赤色蛍光体７４により波長変換されなかった青色光と、赤色蛍光体７４が発光した赤色光が透光性部材７３を通り透光性部材７３の上面（光源３０の光取り出し面）から外側に出て行く。一方、緑色発光素子７１ｇから発光された緑色光は、一部は赤色蛍光体７４により赤色光に波長変換され、（好ましくは赤色蛍光体７４により赤色光に変換されることはなく（またはほとんど変換されることなく））透光性部材７３を通り透光性部材７３の上面から外側に出て行く。そして、透光性部材７３の外側で青色光と赤色光と緑色光が混色され、例えば白色光のような所望の色の光を得ることができる。
【０１０３】
光源３０では、緑色光を緑色発光素子７１ｇの発光により得ている。このため、緑色蛍光体を用いて緑色光を得る場合と比べ、緑色光が容易に鋭いピークを持つことができる。この結果、光源３０を備えた液晶表示装置は、高い色再現性を達成することができる。
【０１０４】
さらに、緑色発光素子７１ｇから発光された緑色光の一部は、好ましくは、波長が変わることなく赤色蛍光体７４により散乱される。この場合、透光性部材７３の外側における緑色光の強度分布が均一になり、色むらの発生を抑制することができる。さらに、例えば、透光性部材７３を封止樹脂として、青色発光素子７１ｂを覆う樹脂と緑色発光素子７１ｇを覆う樹脂を同じ透光性部材７３とすることは、生産性の観点からも好都合である。
【０１０５】
以下に光源３０を構成する要素の詳細を説明する。
【０１０６】
・発光素子
青色発光素子７１ｂと緑色発光素子７１ｇは、任意の形態で配置してよい。以下に好ましい配置をいくつか例示する。
【０１０７】
図８Ａから図８Ｅに示すように青色発光素子７１ｂおよび緑色発光素子７１ｇの長手方向を光源支持体７７の長手方向（図８Ｃ、図８Ｄの左右方向）と平行にしてよい。図８Ｃおよび図８Ｄに示すように、青色発光素子７１ｂの長手方向と緑色発光素子７１ｇの長手方向が１つの直線上に整列するように配置してよい。これらにより光源３０全体に亘り、より均一に発光素子からの発光が分散されるからである。
【０１０８】
また、青色発光素子７１ｂおよび緑色発光素子７１ｇの長手方向を光源支持体７７の発光素子載置面の長手方向と平行にしてよい。ここで、光源支持体７７の発光素子載置面とは、光源支持体７７において、青色発光素子７１ｂおよび緑色発光素子７１ｇの少なくとも一方が載置されている面である。
【０１０９】
青色発光素子７１ｂおよび緑色発光素子７１ｇは、電圧を印加することで発光する、例えば発光ダイオード（ＬＥＤ）のような半導体素子であってよい。青色発光素子７１ｂおよび緑色発光素子７１ｇに用いる半導体として、窒化物系半導体（ＩｎXＡｌYＧａ1-X-YＮ、０≦Ｘ、０≦Ｙ、Ｘ＋Ｙ≦１）等を用いることができる。すなわち、青色発光素子７１ｂおよび緑色発光素子７１ｇは、窒化物半導体素子であってよい。このように半導体の材料を窒化物系半導体で揃えることにより、発光素子の順方向電圧（順電圧）Ｖｆを揃えることができるので、発光素子を駆動する条件を別々に設定する必要性が少なくなる点で好ましい。光源支持体７７に配置する青色発光素子７１ｂ及び緑色発光素子７１ｇの個数は単数でも複数でもよい。また、青色発光素子７１ｂおよび緑色発光素子７１ｇの平面形状は、正方形でも長方形でもよく、あるいはそれらを組み合わせて複数配置してもよい。光源支持体７７の形状や大きさに合わせて、発光素子の個数や形状は適宜選択することができる。
【０１１０】
青色発光素子７１ｂと緑色発光素子７１ｇの光出力は、同じであってもよい。また、色再現性等の得ようとする特性に応じて、青色発光素子７１ｂの光出力が、緑色発光素子７１ｇの光出力と異なってもよい。優れた色再現性を得る１つの実施形態として、青色発光素子７１ｂに対する緑色発光素子７１ｇの光出力の比を、０．３以上０．７以下としてよい。
【０１１１】
発光素子の光出力の比は、分光光度計により発光スペクトルを測定し、青色発光素子と緑色発光素子の発光ピークの高さの比から算出することができる。
【０１１２】
なお、図８Ａから図８Ｅに示す形態では、青色発光素子７１ｂの上面と緑色発光素子７１ｇの上面は同じ高さの位置にあるがこれに限定されるものではない。青色発光素子７１ｂの上面よりも緑色発光素子７１ｇの上面が上側になるように配置してよい。すなわち、緑色発光素子７１ｇの上面が、青色発光素子７１ｂの上面よりも光源３０の光取り出し面（透光性部材７３の上面）の近くに配置されてよい。例えば、緑色発光素子７１ｇをサブマウントに配置して、その上面が青色発光素子７１ｂの上面よりも高くなるように光源支持体に配置させたり、緑色発光素子７１ｇまたは青色発光素子７１ｂについて、光源支持体の素子配置面に段差を形成させたり、それらの方法を組み合わせたりすることできる。このような配置を行うことで、例えば、緑色発光素子７１ｇの光出力が青色発光素子７１ｂの光出力よりもある程度低い場合でも優れた色再現性を得ることができる。
【０１１３】
・透光性部材
透光性部材７３は、樹脂またはガラス材料等の任意の材料により形成されてよい。樹脂により透光性部材７３を形成する場合、任意の樹脂を用いてよい。好適な例の１つは透明な樹脂である。青色発光素子７１ｂ、緑色発光素子７１ｇおよび赤色蛍光体７４が発する光が吸収されるのを抑制するためである。好適な別の例は、透明な樹脂にＴｉＯ2またはＳｉＯ2などの拡散材を含有させた半透明な樹脂である。青色発光素子７１ｂ、緑色発光素子７１ｇおよび赤色蛍光体７４が発する光が吸収されるのをある程度抑制し、かつこれらの光を十分に拡散できるからである。
【０１１４】
このような好適な樹脂として、シリコーン系樹脂、エポキシ系樹脂などを例示できる。このような樹脂を溶融状態にして赤色蛍光体７４を混合および分散させた後、この赤色蛍光体７４が分散した樹脂を樹脂パッケージ７２のキャビティに充填し、樹脂を硬化させることにより透光性部材７３を形成できる。
【０１１５】
・樹脂パッケージ
樹脂パッケージ７２は、任意の樹脂により形成してよい。好ましい樹脂として、ナイロン系樹脂、エポキシ系樹脂およびシリコーン系樹脂を例示できる。
【０１１６】
必要に応じて、樹脂パッケージ７２のキャビティ表面に、例えば銀（Ａｇ）などの金属めっきのような反射材を配置するまたはキャビティの表面を白色等の明るい色にしてよい。これによりキャビティの表面の光の反射率を向上でき、キャビティの表面に到達した光を出射方向により多く反射することで、光源３０の効率をより高くできる。
【０１１７】
キャビティを有する樹脂パッケージに代えて、例えば、セラミック、樹脂、誘電体、ガラスまたはこれらの複合材料より成る絶縁基板の表面に接続端子を配置した光源支持体とすることもできる。この光源支持体に青色発光素子７１ｂおよび緑色発光素子７１ｇを配置し、例えば、モールド成形により、赤色蛍光体７４を含む透光性部材７３を、青色発光素子７１ｂおよび緑色発光素子７１ｇを被覆するように形成してもよい。
【０１１８】
このような構造を有する光源３０を本実施形態の面発光装置に用いた場合、第１傾斜部２１ｅ等において反射させて光を出射させることができるため、光源３０から出射する光の混色性をより向上させることも可能である。
【産業上の利用可能性】
【０１１９】
本開示の面発光装置は、種々の用途の面発光装置に好適に用いられる。例えば、液晶表示装置等の表示パネルのバックライトとして好適に用いられ、ローカルディミング制御が可能なバックライトとして好適に用いられる。
【符号の説明】
【０１２０】
１０        支持体
１０ａ      主面
２０、２０’、２０’’    反射部
２０ａ      主面
２０ｒ、２０ｒ’、２０’’    反射領域
２０ｕ、２０ｖ      空洞
２１        反射シート
２１ａ      上面
２１ｂ      下面
２１ｃ      第１壁部
２１ｄ      第１折り曲げ部
２１ｅ      第１傾斜部
２１ｆ      接触部
２１ｇ      開口
２１ｈ、２１ｋ      第２傾斜部
２１ｊ      第２折り曲げ部
２１ｍ      第２壁部
２１ｎ      第２傾斜部
２１ｓ      第２凸部
２１ｔ      第１凸部
３０        光源
３０ｃ      側面
３６ａ      第１インナーリード部
３７ａ      第２インナーリード部
４０        拡散板
４２        壁部材
５０        遮光部材
５１        領域
７１ｂ      青色発光素子
７１ｇ      緑色発光素子
７２        樹脂パッケージ
７３        透光性部材
７４        赤色蛍光体
７６        ワイヤ
７７        光源支持体
１０１、１０１’、１０１’’、１０２〜１０５      面発光装置
【図１Ａ】
2018022649.tif 000003
【図１Ｂ】
2018022649.tif 000004
【図１Ｃ】
2018022649.tif 000005
【図１Ｄ】
2018022649.tif 000006
【図１Ｅ】
2018022649.tif 000007
【図２】
2018022649.tif 000008
【図３Ａ】
2018022649.tif 000009
【図３Ｂ】
2018022649.tif 000010
【図４Ａ】
2018022649.tif 000011
【図４Ｂ】
2018022649.tif 000012
【図４Ｃ】
2018022649.tif 000013
【図４Ｄ】
2018022649.tif 000014
【図５Ａ】
2018022649.tif 000015
【図５Ｂ】
2018022649.tif 000016
【図５Ｃ】
2018022649.tif 000017
【図５Ｄ】
2018022649.tif 000018
【図６】
2018022649.tif 000019
【図７Ａ】
2018022649.tif 000020
【図７Ｂ】
2018022649.tif 000021
【図７Ｃ】
2018022649.tif 000022
【図８Ａ】
2018022649.tif 000023
【図８Ｂ】
2018022649.tif 000024
【図８Ｃ】
2018022649.tif 000025
【図８Ｄ】
2018022649.tif 000026
【図８Ｅ】
2018022649.tif 000027